(57)【要約】【課題】表土種子の採取（回収）効率を向上することができる表土種子採取装置及び表土種子採取方法を提供すること。【解決手段】箱状部材４と、この箱状部材４に表土種子を導入する吸引力を発生させる吸引装置と、前記箱状部材４に対して吸引方向の上流側に設けられた吸引管とを具備し、さらに、前記箱状部材４は、前記吸引管を接続するため形成された吸引口２および前記吸引装置へ延びる排気管を接続するため形成された排気口３を有する一方、前記吸引装置の吸引力によって移動する表土種子が前記排気口３から排出されることを阻止する仕切り板６が前記排気口３の上流側に設けられている。【選択図】図１
2018148807.tif 000002
【特許請求の範囲】
【請求項１】
箱状部材と、この箱状部材に表土種子を導入する吸引力を発生させる吸引装置と、前記箱状部材に対して吸引方向の上流側に設けられた吸引管とを具備し、さらに、
前記箱状部材は、前記吸引管を接続するため形成された吸引口および前記吸引装置へ延びる排気管を接続するため形成された排気口を有する一方、
前記吸引装置の吸引力によって移動する表土種子が前記排気口から排出されることを阻止する仕切り板が前記排気口の上流側に設けられていることを特徴とする表土種子採取装置。
【請求項２】
前記箱状部材は、前記吸引口および前記排気口を上部に備えている請求項１に記載の表土種子採取装置。
【請求項３】
上方開口を覆うよう開閉自在に装着される上蓋を含む箱状部材と、前記箱状部材に表土種子を導入する吸引力を発生させる吸引装置と、前記箱状部材に対して吸引方向の上流側に設けられた吸引管とを具備し、さらに、前記上蓋は、前記吸引管を接続するため形成された吸引口を有するとともに前記吸引装置へ延びる排気管を接続するため形成された排気口を有する一方、前記箱状部材には、前記吸引装置の吸引力によって移動する表土種子が前記排気口から排出されることを阻止する仕切り板が前記排気口の上流側に設けられていることを特徴とする表土種子採取装置
【請求項４】
側部開口を覆うよう開閉自在に装着される横蓋を含むとともに、上部に吸引管に連通する吸引口および排気管に連通する排気口を備えた箱状部材と、前記箱状部材内に前記吸引口を介して表土種子を導入するとともに前記排気口から排気するための吸引装置と、前記排気口の上流側に設けられ前記吸引装置の吸引力によって移動する表土種子が前記排気口から排出されることを阻止する仕切り板とを具備することを特徴とする表土種子採取装置。
【請求項５】
上部に吸引管に連通する吸引口および排気管に連通する排気口を備えるとともに、側方から出し入れ自在な抽出し体を備えた箱状部材と、前記抽出し体内に前記吸引口を介して表土種子を導入するとともに前記排気口から排気するための吸引装置と、前記排気口の上流側に設けられ前記吸引装置の吸引力によって移動する表土種子が前記排気口から排出されることを阻止する仕切り板とを具備することを特徴とする表土種子採取装置。
【請求項６】
前記箱状部材内に表土種子を収容する採取袋が設置されている請求項１〜５のいずれか１項に記載の表土種子採取装置。
【請求項７】
請求項１〜６のいずれか１項に記載の表土種子採取装置を用いて前記箱状部材内または前記抽出し体内または前記採取袋内に表土種子を採取することを特徴とする表土種子採取方法。
【請求項８】
吸引装置を用いて箱状部材の上方に設けた吸引口から表土種子を吸引して前記箱状部材内に貯留するとともに排気口から排気し、さらに、前記排気口の上流側に設けた仕切り板により、前記吸引装置の吸引力によって移動する表土種子が前記排気口から排出されることを阻止することを特徴とする表土種子採取方法。
【発明の詳細な説明】
【技術分野】
【０００１】
本発明は、例えば山間地内での堅果（ドングリ）などの現地種子及び森林表土を採取するための表土種子採取装置及び表土種子採取方法に関するものである。
【背景技術】
【０００２】
近年、地域の森林表土を利用することで、地域の植生回復を図る自然回復緑化工法が生物多様性保全の観点から推奨されている。森林表土中には多くの埋土種子が含まれ、いわゆる「表土シードバンク」を構成している。そして、表土層のうち落葉層を除いた表層より５〜１０ｃｍの部分に埋土種子の約８０％が含まれていると報告されている。そこで、本願発明者らは、例えば林内にて結実した堅果（ドングリ）などを地表面に一旦落下（シードレイン）せしめ、これら落下種子を含む植物バイオマス（種子付き枝葉）と表土層を一緒に吸引し、現地採取の植生材料として利用することにすれば実用性が高まるという観点から、一緒に吸引する場合に用いることのできる装置を研究中である。
【先行技術文献】
【特許文献】
【０００３】
【特許文献１】特開２０１５−１４４５７７号公報
【発明の概要】
【発明が解決しようとする課題】
【０００４】
そして、本願発明者らは、小型の吸引装置を利用した下記に示す表土種子採取装置を用いて、例えばドングリの自生地において地表面に落下させた落下種子の吸取り試験を行い、落下種子及び表土（以下、表土種子という）の吸引収集が可能であることを確認した。即ち、前記表土種子採取装置として、表土種子を導入する吸引力を発生させる吸引装置の前段（上流側）にプレボックスを接続し、さらに、プレボックスに吸引管の下流部を接続し、プレボックスの隣り合う側面のうち、一方に吸引管の下流部が接続される吸引口を設け、他方に吸引装置側に接続される排気口を設けたものを用い、さらに、排気口をプレボックス底面からある程度離れた高さ位置に設けたもので試験を行ったのである。しかし、この場合、プレボックス内に、採取物として、ドングリなどの堅果、落葉落枝（リター）及び表層土壌（腐葉土）が採取できるものの、以下の課題が生じた。（１）比較的重量のあるドングリなどの堅果は排気口から下流側へと向かうことができずプレボックス内に留まることになるが、舞い上がって排気口の高さを越えた採取物は排気口から吸引装置に至り、ここで粉砕され、結局、プレボックス外部へ排出されることになる。したがって、（２）１回の採取作業において、吸引管を通った採取物はプレボックス内においてほぼ１００％の回収（採取）は望めず回収（採取）効率が悪い（プレボックス内における１回の採取量が制限される）。
【０００５】
本発明は上述の事柄に留意してなされたもので、その目的は、表土種子の採取（回収）効率を向上することができる表土種子採取装置及び表土種子採取方法を提供することにある。
【課題を解決するための手段】
【０００６】
上記目的を達成するため、本願の請求項１に係る発明は、箱状部材と、この箱状部材に表土種子を導入する吸引力を発生させる吸引装置と、前記箱状部材に対して吸引方向の上流側に設けられた吸引管とを具備し、さらに、前記箱状部材は、前記吸引管を接続するため形成された吸引口および前記吸引装置へ延びる排気管を接続するため形成された排気口を有する一方、前記吸引装置の吸引力によって移動する表土種子が前記排気口から排出されることを阻止する仕切り板が前記排気口の上流側に設けられていることを特徴とする表土種子採取装置を提供する。この場合、前記箱状部材は、例えば図１に示すように、前記吸引口および前記排気口を上部に備えているのが好ましい（請求項２）。本発明において、箱状部材とは、立方体形状、直方体形状、筒形状（平面視円形状のみならず、平面視楕円形状等も含む）などの中空の筐体を意味する。また、仕切り板は、板体であってもよいし、一定以上の大きさの種子、落葉落枝（リター）及び表層土壌（腐葉土）を通さない目合を持つメッシュを備えるもの（例えば、網体、パンチングメタルなどの有孔板）であってもよい。例えば図１は、箱状部材３が直方体形状である一方、仕切り板６が縦断面Ｌ字型の板体である場合の箱状部材３に対する仕切り板６の好ましい取付状態の一例を示している。図１においては、排気口２の直下で、かつ、排気口２の大きさ以上の大きさを有する状態で、箱状部材３における排気口２寄りの三つの内側面（上面Ａの内面部分ａ・後面Ｇの内面部分ｇ・左側面Ｆの内面部分ｆ）に対し仕切り板６が例えば溶接等の接合手段により取り付けられている。さらに、通気性を有し表土種子を収容する土のう袋（採取袋の一例）を吸引口に連通するよう着脱自在に取り付けてもよい。また、前記採取袋は、一定以上の大きさの種子、落葉落枝（リター）及び表層土壌（腐葉土）を通さない目合を持つメッシュ製のものであってもよい。
【０００７】
また、本願の請求項３に係る発明は、上方開口を覆うよう開閉自在に装着される上蓋を含む箱状部材と、前記箱状部材に表土種子を導入する吸引力を発生させる吸引装置と、前記箱状部材に対して吸引方向の上流側に設けられた吸引管とを具備し、さらに、前記上蓋は、前記吸引管を接続するため形成された吸引口を有するとともに前記吸引装置へ延びる排気管を接続するため形成された排気口を有する一方、前記箱状部材には、前記吸引装置の吸引力によって移動する表土種子が前記排気口から排出されることを阻止する仕切り板が前記排気口の上流側に設けられていることを特徴とする表土種子採取装置（図２参照）を提供する。仕切り板６は、例えば図２に示すように、箱状部材３の上蓋１５の内面１５ａに例えば溶接等の接合手段により設けてもよく、また、例えば図３に示すように、箱状部材本体３ａの内側面（内面部分）ｊ（箱状部材本体４ａの前面の箱状部材本体３ａにおける排気口寄りの内面部分、箱状部材本体３ａの後面の箱状部材本体３ａにおける排気口寄りの内面部分のうち何れか一方、あるいは、箱状部材本体３ａにおける排気口寄りの二つの内面部分、例えば、左側面の内面部分・後面の内面部分、または、左側面の内面部分・前面の内面部分）に排気口２の位置に応じて例えば溶接等の接合手段により設けてもよい。そして、前記上蓋は、上方開口に着脱自在に設けてもよい（例えば、上蓋１５を、上方開口１０を備えた箱状部材本体３ａに対して凹凸等の係止手段を用いて嵌込むように構成してもよい）。また、前記上蓋を、蝶番などを使用して上方開口に対し片開きに構成してもよい。また、前記上蓋を、蝶番などを使用して観音開きに構成してもよい。また、前記上蓋を、上方開口に対してスライドさせるよう構成してもよい。そして、装置使用時には、上方開口１０を上蓋１５で閉じてなる閉塞状態の箱状部材内に表土種子が採取されうる。さらに、通気性を有し表土種子を収容する土のう袋（採取袋の一例）を吸引口に連通するよう着脱自在に取り付けてもよい。
【０００８】
また、本願の請求項４に係る発明は、側部開口を覆うよう開閉自在に装着される横蓋を含むとともに、上部に吸引管に連通する吸引口および排気管に連通する排気口を備えた箱状部材と、前記箱状部材内に前記吸引口を介して表土種子を導入するとともに前記排気口から排気するための吸引装置と、前記排気口の上流側に設けられ前記吸引装置の吸引力によって移動する表土種子が前記排気口から排出されることを阻止する仕切り板とを具備することを特徴とする表土種子採取装置（図４参照）を提供する。この場合、箱状部材の側部開口とは、例えば立方体形状、直方体形状の箱状部材においては、箱状部材の上下面を除いた隣接する四つの側面の何れかに形成されうる側方開口を意味する。例えば図１における箱状部材３は前方開口４を有しており、この前方開口４が側部開口に相当する。また、図４における箱状部材３は右側方開口２０を有しており、この右側方開口２０が側部開口に相当する。また、筒形状の箱状部材における側部開口とは、箱状部材の側周面部に形成されうる適宜の大きさの開口を意味する。さらに、通気性を有し表土種子を収容する土のう袋（採取袋の一例）を吸引口に連通するよう着脱自在に取り付けてもよい。また、前記採取袋は、一定以上の大きさの種子、落葉落枝（リター）及び表層土壌（腐葉土）を通さない目合を持つメッシュ製ものであってもよい。また、前記横蓋を、箱状部材の側部開口に着脱自在に設けてもよい（例えば、横蓋５を、側部開口（前方開口）４、側部開口（右側方開口）２０に対して凹凸等の係止手段を用いて嵌込むように構成してもよい）。また、前記横蓋を、蝶番などを使用して片開きに構成してもよい。例えば図１における箱状部材３においては前記側部開口（前方開口）４を覆う横蓋５が蝶番などを使用して片開きに構成されている。また、前記横蓋を、蝶番などを使用して観音開きに構成してもよい。また、前記横蓋を、側部開口に対してスライドさせるよう構成してもよい。そして、装置使用時には、前記側部開口４，２０を横蓋５で閉じてなる閉塞状態の箱状部材内に表土種子が採取されうる。
【０００９】
また、本願の請求項５に係る発明は、上部に吸引管に連通する吸引口および排気管に連通する排気口を備えるとともに、側方から出し入れ自在な抽出し体を備えた箱状部材と、前記抽出し体内に前記吸引口を介して表土種子を導入するとともに前記排気口から排気するための吸引装置と、前記排気口の上流側に設けられ前記吸引装置の吸引力によって移動する表土種子が前記排気口から排出されることを阻止する仕切り板とを具備することを特徴とする表土種子採取装置（図５参照）を提供する。本願の請求項５に係る発明では、通気性を有し表土種子を収容する土のう袋（採取袋の一例）を吸引口に連通するよう着脱自在に取り付けてもよい。この場合、前記土のう袋は前記抽出し体内に収容されている。また、前記採取袋は、一定以上の大きさの種子、落葉落枝（リター）及び表層土壌（腐葉土）を通さない目合を持つメッシュ製のものであってもよい。そして、装置使用時において抽出し体２１内に採取された表土種子は、その後、抽出し体２１を引き抜くことで、抽出し体２１と共に側方から取り出すことができる。
【００１０】
また、本願の請求項６に係る発明は、前記箱状部材内に表土種子を収容する採取袋が設置されている請求項１〜５のいずれか１項に記載の表土種子採取装置を提供する。
【００１１】
また、別の観点から、本願の請求項７に係る発明は、請求項１〜６のいずれか１項に記載の表土種子採取装置を用いて前記箱状部材内または前記抽出し体内または前記採取袋内に表土種子を採取することを特徴とする表土種子採取方法を提供する。
【００１２】
また、さらに別の観点から、本願の請求項８に係る発明は、吸引装置を用いて箱状部材の上方に設けた吸引口から表土種子を吸引して前記箱状部材内に貯留するとともに排気口から排気し、さらに、前記排気口の上流側に設けた仕切り板により、前記吸引装置の吸引力によって移動する表土種子が前記排気口から排出されることを阻止することを特徴とする表土種子採取方法を提供する。
【発明の効果】
【００１３】
本願発明では、表土種子の採取（回収）効率を向上することができる表土種子採取装置及び表土種子採取方法が得られる。
【００１４】
本願の請求項１に係る発明では、吸引装置の吸引力によって移動する表土種子が、排気口の上流側に設けられている仕切り板に当たって下方に戻るので、吸引管を通った採取物は箱状部材内においてほぼ１００％の回収（採取）が可能であり、回収（採取）効率を向上できる。また、本願の請求項２に係る発明では、吸引装置の吸引力によって移動する表土種子が排気口から排出されることを阻止する仕切り板が箱状部材の上部に備わっている前記排気口の上流側に設けられていることから、さらに回収（採取）効率を向上できる。  
【００１５】
本願の請求項３に係る発明では、上方開口を覆うよう開閉自在に装着される上蓋を含む箱状部材を設け、吸引装置の吸引力によって移動する表土種子が上蓋に形成の排気口の上流側に設けられている仕切り板に当たって下方に戻るので、吸引管を通った採取物は箱状部材内においてほぼ１００％の回収（採取）が可能であり、回収（採取）効率を向上できる。また、上蓋を開けることにより、箱状部材内に溜まった表土種子を取り出すことができる。
【００１６】
本願の請求項４に係る発明では、吸引装置の吸引力によって移動する表土種子が仕切り板に当たって下方に戻るので、吸引管を通った採取物は箱状部材内においてほぼ１００％の回収（採取）が可能であり、回収（採取）効率を向上できる。この場合、横蓋を開けて箱状部材内に溜まった表土種子を側部開口から取り出すことができる。
【００１７】
本願の請求項５に係る発明では、吸引装置の吸引力によって移動する表土種子が仕切り板に当たって下方に戻るので、吸引管を通った採取物は箱状部材内においてほぼ１００％の回収（採取）が可能であり、回収（採取）効率を向上できる。この場合、抽出し体を引き抜くことで、抽出し体内に溜まった表土種子を箱状部材の側方から取り出すことができる。
【００１８】
本願の請求項６に係る発明では、吸引装置の吸引力によって採取袋内から外へと移動する表土種子が排気口の上流側に設けられている仕切り板に当たって下方に戻るので、吸引管を通った表土種子は採取袋内を含む箱状部材内または抽出し体内においてほぼ１００％の回収（採取）が可能であり、回収（採取）効率を向上できる。さらに、本願の請求項６に係る発明では、採取袋に表土種子の大半を収集（収容）することで、詰め替え等の作業を排除できる。すなわち、採取袋に溜まった表土種子を採取袋ごと取り出すことができる。そのため、表土種子の詰め替え作業を不要にできる。また、取り出した採取袋ごと冷蔵庫に保管しておくことにより、表土種子を長持ちさせることができるとともに、表土種子が溜まった採取袋を必要なときはいつでも持ち運びできる。
【図面の簡単な説明】
【００１９】
【図１】本発明の第１の実施形態を示す概略構成説明図である。
【図２】本発明の第２の実施形態を示す概略全体構成説明図である。
【図３】本発明の第３の実施形態を示す概略全体構成説明図である。
【図４】本発明の第４の実施形態を示す概略全体構成説明図である。
【図５】本発明の第５の実施形態を示す概略全体構成説明図である。
【発明を実施するための形態】
【００２０】
以下、図面を用いて、本発明の実施形態を説明する。
【００２１】
図１は、吸引口および排気口を上部に有するとともに前方開口（箱状部材の側部開口の一例）を有し、さらに、前方開口を開閉自在に覆う横蓋を含む直方体形状の箱状部材を設けるとともに、排気口の上流側に仕切り板を設けた本発明の第１の実施形態を示す。
【００２２】
図１において、表土種子採取装置Ｄは、表土種子（現地の森林表土及び現地種子を含む。図示せず）を収容するとともに、箱状部材本体３ａの上部（上面）Ａに吸引管に連通する吸引口１および排気管に連通する排気口２を備えてなる中空の直方体形状の箱状部材３を備えている。また、箱状部材３は、前方開口４およびこの前方開口４を覆うよう例えば蝶番などを使用して箱状部材本体３ａに開閉自在に装着される横蓋５を含んでいる。さらに、表土種子採取装置Ｄは、箱状部材３内に吸引口１を介して表土種子を導入する吸引力を発生させるとともに排気口２から排気するための軽量のエンジンブロア（吸引装置の一例：図示せず）と、排気口２の上流側に設けられ前記吸引装置の吸引力によって移動する表土種子が排気口２から排出されることを阻止する仕切り板６とを主として具備している。なお、Ｋは吸引方向を示す。
【００２３】
前記箱状部材３は、前記箱状部材本体３ａと前記横蓋５から構成されている。そして、箱状部材本体３ａは、上部（上面）Ａ、下部（下面）Ｂ、三つの側部（三つの側面：すなわち、後面Ｇ、右側面Ｅ、左側面Ｆ）および一つの前方開口（側部開口の一例）４を有している。吸引口１と排気口２は前記上部Ａに形成されていればよく、前記上部Ａにおける吸引口１と排気口２の位置は適宜設定できるものである。そして、箱状部材３（箱状部材本体３ａ）に対して吸引方向の上流側に設けられた適宜の長さの可撓管（吸引管の一例：図示せず）が前記上部Ａに形成された吸引口１に接続されている。一方、前記吸引装置へ延びる短い長さに形成された軽量の排気管（図示せず）が前記上部Ａに形成された排気口２に接続されている。また、この実施形態では、前方開口４を覆う横蓋５が蝶番などを使用して片開きに構成されている。横蓋５は前方開口４を閉塞しうる大きさに形成されており、横蓋５側と箱状部材本体３ａ側に対向する形で設けた係止手段によって前方開口４が横蓋５によって閉じられるように構成されている。
【００２４】
前記仕切り板６は、この実施形態では縦断面Ｌ字型の板体で構成されており、排気口２の大きさ以上の大きさを有する平面視矩形の水平面部７と、水平面部７の一辺７ａから適宜の高さｈだけ上方に垂直に立設された側面視矩形の垂直面部８とよりなる。そして、箱状部材本体３ａにおける排気口２寄りの三つの内側面（上面Ａの内面部分ａ、後面Ｇの内面部分ｇ、左側面Ｆの内面部分ｆ）に対し仕切り板６が例えば溶接等の接合手段により取り付けられている。すなわち、上面Ａの内面部分ａ（例えば図４参照）と垂直面部８におけるＹ方向に延びる水平な上辺８ａとが接合され、後面Ｇの内面部分ｇと垂直面部８におけるＺ方向に延びる垂直な後辺８ｂとが接合され、後面Ｇの内面部分ｇと水平面部７のＸ方向に延びる水平な後辺７ｂとが接合され、左側面Ｆの内面部分ｆ（例えば図４参照）と水平面部７のＹ方向に延びる水平な左辺７ｃとが接合されており、前方開口４を横蓋５で覆う閉塞空間が形成された箱状部材３の使用状態では仕切り板６（水平面部７の手前側の横辺７ｄおよび垂直面部８の手前側の縦辺８ｃ）と横蓋５との間に、吸引口１と排気口２を連通させる隙間Ｓおよび隙間Ｓ’が形成されている。なお、隙間の位置は適宜設定されうる。例えば、図１において、左側面Ｆの内面部分ｆと水平面部７のＹ方向に延びる水平な左辺７ｃとの間にも隙間を設けることができる。また、仕切り板６の板体形状は、この実施形態で示した縦断面Ｌ字型の板体形状以外のものでも、吸引装置の吸引力によって移動する表土種子が排気口２から排出されることを阻止する形状のものであれば本発明に適用可能である。また、仕切り板６が、一定以上の大きさの種子、落葉落枝（リター）及び表層土壌（腐葉土）を通さない目合を持つメッシュを備えるもの（例えば、網体、パンチングメタルなどの有孔板）であってもよい。
【００２５】
この実施形態では、仕切り板６のみを設けた例を示したが、仕切り板６と、表土種子を収容する土のう袋等の採取袋９（図１の仮想線参照）の両方を設けてもよい。この場合、採取袋９は、吸引口１に連通するよう着脱自在に取り付けられていてもよい。すなわち、図１に示すように、採取袋９は、例えば、吸引口１の下流端部１ａに着脱自在に取り付けられるよう形成された取付口９ａを有しており、取付口９ａを介して採取袋９は、吸引口１に着脱自在に接続されており、この接続形態は、一例を挙げると、大型の電気掃除機に採用される公知の大型フィルタに形成された流入口部を掃除機の吸引口部に着脱自在に接続する構成と同様のものであり、取付口９ａを少ない力で差し込み・取り外すだけの簡易な構成であるので、着脱動作は人力で容易に行える。また、採取袋９としては、例えば一辺に開放口を有するように構成したもの（例えば図２参照）を挙げることができ、採取袋９は開放口９ｂを有しており、この開放口９ｂを吸引口１の下流端部１ａの外側から下流端部１ａに束ねた状態で、束ねた部分を例えば紐体を用いて下流端部１ａに縛りつけることで採取袋９を吸引口１に接続するようにしてもよく、この場合はより簡易な構成で着脱動作ができる。採取袋９は、通気性を有しており、また、一定以上の大きさの種子、落葉落枝（リター）及び表層土壌（腐葉土）を通さない目合を持つメッシュ製のものであってもよい。
【００２６】
また、前記側部開口は前方開口４に限られるものではなく、前記側部開口を、箱状部材本体３ａの例えば三つの側部（三つの側面：すなわち、後面Ｇ、右側面Ｅ、左側面Ｆ）の何れに設けてもよい。
【００２７】
而して、表土種子採取装置Ｄは、装置全体を例えばドングリの自生地等、表土種子の採取が可能なエリアまで運搬した後、主として可撓管（吸引管の一例）のみを手に持って（あるいは抱えて）表土種子の採取作業にあたることを想定したものであり、装置Ｄ全体の運搬も比較的容易に行えるように、箱状部材３、すなわち、箱状部材本体３ａと横蓋５を例えばアルミニウムやアクリル等の比較的軽い素材で構成することが好ましく、前述した軽量のエンジンブロア（吸引装置の一例）と、前述した軽量の排気管と、箱状部材３と、前述した可撓性の前記吸引管とを用いる簡易な構成によって、人力移動が可能な表土種子採取装置Ｄを得ることができる。また、この実施形態では、電源ケーブルやエアホース等の採取作業に支障をきたすおそれのある部材を使用しなくてもよく作業を向上できる。また、この実施形態では、横蓋５を開いて前方開口４から箱状部材本体３ａ内に溜まった表土種子を取り出すことができる。
【００２８】
図２は、上方開口を覆うよう開閉自在に装着される上蓋を含む箱状部材を用いる本発明の第２の実施形態を示す。なお、図２において、図１に示した符号と同一のものは同一又は相当物である。図２において、表土種子採取装置Ｄは、平面視矩形の上方開口１０を覆うよう開閉自在に装着される縦断面逆Ｕ字型で平面視矩形の上蓋１５を含む直方体形状の箱状部材３と、箱状部材３に表土種子（現地の森林表土及び現地種子を含む。図示せず）を導入する吸引力を発生させる軽量のエンジンブロア（吸引装置の一例）１６と、箱状部材３に対して吸引方向の上流側に設けられた適宜の長さの可撓管（吸引管の一例）１７とを主として具備している。この実施形態では、箱状部材本体３ａが、上方開口１０、下部（下面）Ｂおよび四つの側部（側面）を有している。なお、Ｋは吸引方向を示す。
【００２９】
さらに、上蓋１５は、吸引管１７を接続するため形成された吸引口１を有するとともに吸引装置１６へ延びる短い長さに形成された軽量の排気管１８を接続するため形成された排気口２を有する。上蓋１５は、平面視矩形の上面部Ｈと、上面部Ｈの四つの端辺から下方に垂下して延設形成された側面部Ｉよりなる。吸引口１と排気口２は上蓋１５の上面部Ｈに形成されていればよく、上面部Ｈにおける吸引口１と排気口２の位置は適宜設定できるものである。さらに、上蓋１５には、吸引装置１６の吸引力によって移動する表土種子が排気口２から排出されるのを阻止する仕切り板６が排気口２の上流側に設けられている。仕切り板６は、上記第１の実施形態で用いたものと同一のものであり、縦断面Ｌ字型の板体で構成されており、排気口２の大きさ以上の大きさを有する平面視矩形の水平面部７と、水平面部７の一辺７ａ（図１参照）から適宜の高さｈだけ上方に垂直に立設された側面視矩形の垂直面部８とよりなる。この実施形態では、上蓋１５の内面（裏面）部分１５ａにおける排気口２の直下に、排気口２の大きさ以上の大きさを有して水平面部７が位置している。この実施形態では、例えば上蓋１５の上面部Ｈの内面部分ａ’（１５ａ）と垂直面部８におけるＹ方向（図１参照）に延びる水平な上辺８ａとが例えば溶接等の接合手段により接合されており、例えば左側面Ｆの内面部分ｆと水平面部７のＹ方向に延びる水平な左辺７ｃとの間に吸引口１と排気口２を連通させる一つの隙間Ｍが形成されている。なお、排気口２の位置に応じて接合位置を変更することにより、吸引口１と排気口２を連通するための一つの隙間だけを設けるか、二つの隙間を設けるか、三つの隙間を設けるかが適宜設定されうる。
【００３０】
而して、表土種子採取装置Ｄは、装置全体を例えばドングリの自生地等、表土種子の採取が可能なエリアまで運搬した後、主として可撓性の吸引管１７のみを手に持って（あるいは抱えて）表土種子の採取作業にあたることを想定したものであり、吸引管５の長さは例えば３ｍ程度とすることができる。ここで、吸引管１７の直径をあまりに大きくし過ぎると吸引管１７自体が重くなって機動性が低下してしまい、逆に小さくし過ぎると必要な吸引力（流量）が得られない。具体的には、吸引管１７の先端部１７ａ以外の直径を１００ｍｍ程度とし、吸引管１７内の風速が５０ｍ／ｍｉｎ程度となるようにしている。なお、吸引管１７の先端部１７ａは例えば１００ｍｍよりも大きな直径を持つ筒体に形成されている。そして、前記エンジンブロア（吸引装置の一例）１６および前記可撓管（吸引管の一例）１７とそれぞれ同一形状の吸引装置および吸引管を上記第１の実施形態でも用いている。さらに、装置Ｄ全体の運搬も比較的容易に行えるように、箱状部材３、すなわち、箱状部材本体３ａと上蓋１５を例えばアルミニウムやアクリル等の比較的軽い素材で構成することが好ましく、軽量のエンジンブロア（吸引装置の一例）１６と、軽量の排気管１８と、箱状部材３と、可撓性の吸引管１７を用いる簡易な構成によって、人力移動が可能な表土種子採取装置Ｄを得ることができる。また、この実施形態でも、電源ケーブルやエアホース等の採取作業に支障をきたすおそれのある部材を使用しなくてもよく作業を向上できる。また、この実施形態では、上蓋１５を開いて上方開口１０から箱状部材本体３ａ内に溜まった表土種子を取り出すことができる。なお、この実施形態では、仕切り板６のみを設けた例を示したが、仕切り板６と、表土種子を収容する土のう袋等の採取袋９（図２の仮想線参照）の両方を設けてもよい。
【００３１】
図３は、上方開口１０を覆うよう開閉自在に装着される上蓋１５を含む箱状部材３を用い、さらに、縦断面Ｌ字型の板体よりなる仕切り板６を上蓋１５の裏面１５ａではなく、箱状部材本体３ａの内側面（内面部分）ｊにおける上部に例えば溶接等の接合手段により設けた設けた本発明の第３の実施形態を示す。なお、図３において、図１、図２に示した符号と同一のものは同一又は相当物である。この実施形態でも、上蓋１５を開いて上方開口１０から箱状部材本体３ａ内に溜まった表土種子を取り出すことができる。また、この実施形態では、仕切り板６は、上記第１の実施形態で用いたものと同一のものであり、縦断面Ｌ字型の板体で構成されており、箱状部材本体３ａの四つの側面部（前面、裏面、右側面、左側面）のうち例えば前記前面の排気口２寄りの内面部分ｊの上部において、前記前面の内面部分ｊと仕切り板６の水平面部７の一辺７ｃ（図１参照）とが接合されている。
【００３２】
図４は、吸引口１および排気口２を上部に有するとともに右側方開口（側部開口の一例）２０を有し、さらに、右側方開口２０を開閉自在に覆う横蓋５を含む直方体形状の箱状部材３を設けるとともに、排気口２の上流側に仕切り板６（上記第１の実施形態で用いたものと同一のもの）を設けた本発明の第４の実施形態を示す。なお、図４において、図１、図２、図３に示した符号と同一のものは同一又は相当物である。
【００３３】
図４において、表土種子採取装置Ｄは、上記第１の実施形態と同様に上面（上部）Ａに吸引管１７に連通する吸引口１および排気管１８に連通する排気口２を備えた中空の箱状部材３と、この箱状部材３の右側方開口２０（箱状部材の側部開口の一例）に設けた横蓋５と、箱状部材３内に吸引口１を介して表土種子を導入するとともに排気口２から排気するための吸引装置１６と、排気口２の上流側に設けられ吸引装置１６の吸引力によって移動する表土種子が排気口２から排出されるのを阻止する仕切り板６とを具備している。前記箱状部材３は、箱状部材本体３ａと前記横蓋５から構成されている。この実施形態では、横蓋５を、右側方開口２０に対して凹凸等の係止手段を用いて嵌込むように構成しており、横蓋５を外して箱状部材本体３ａ内に溜まった表土種子を右側方開口２０から取り出すことができる。また、仕切り板６は、排気口２が備わっている箱状部材本体３ａの上面Ａの内面（裏面）部分における排気口２の直下に、排気口２の大きさ以上の大きさを有して設けられている。この実施形態における仕切り板６の取付け方は、上記第１の実施形態における取付け方に基づいており、例えば左側面Ｆの内面部分ｆと仕切り板６の水平面部７の一辺７ｃとの間に少なくとも一つの隙間（吸引口１と排気口２を連通させる隙間）Ｎが形成されている。なお、上面Ａに替えて第２の実施形態で示した上蓋１５を設け、この上蓋１５に吸引口１、排気口２、仕切り板６を設けてもよく、また、上面Ａに替えて第３の実施形態で示した上蓋１５を設け、仕切り板６を上蓋１５の裏面１５ａではなく、箱状部材本体の内側面における上部に設けてもよい。
【００３４】
図５は、上部に吸引管１７に連通する吸引口１および排気管１８に連通する排気口２を備えるとともに、直方体形状の箱状部材本体３ａの側方から出し入れ自在な抽出し体２１を備えた箱状部材３と、排気口２の上流側に設けられ吸引装置１６の吸引力によって移動する表土種子が排気口２から排出されることを阻止する仕切り板６とを設けた本発明の第５の実施形態を示す。なお、図５において、図１〜図４に示した符号と同一のものは同一又は相当物である。
【００３５】
図５において、表土種子採取装置Ｄは、箱状部材本体３ａの上面Ａ（上部）に吸引管１７に連通する吸引口１および排気管１８に連通する排気口２を備えており、抽出し体２１内に吸引口１を介して表土種子を導入するとともに排気口２から排気するための吸引装置１６を備え、さらに、吸引装置１６の吸引力によって移動する表土種子が排気口２から排出されるのを阻止する仕切り板６が排気口２の上流側に設けられている。抽出し体２１は、平面視矩形の上方開口３０を有する直方体形状をなし、平面視矩形の下面部３１と、背面部３２および前面部３３を含む四つの側面部より構成されている。一方、箱状部材本体３ａの例えば右側面部Ｒには、箱状部材本体３ａに対し抽出し体２１が側方から出し入れ自在な開口３４が設けられている。抽出し体２１の前面部３３の外側には出し入れに便利な把手３５が形成されている。そして、箱状部材３は、平面視矩形の箱状部材本体３ａと、平面視矩形の抽出し体２１の把手付き前面部３３とより構成される。
【００３６】
また、仕切り板６は、上記第１の実施形態で用いたものと同じ構造のものであり、排気口２が備わっている箱状部材本体３ａの上面Ａの内面（裏面）部分ａにおける排気口２の直下に、排気口２の大きさ以上の大きさを有して設けられている。この実施形態における仕切り板６の取付け方は、上記第１の実施形態における取付け方にもとづいており、上記第４の実施形態における取付け方と同じである。そして、この実施形態では、抽出し体２１を引き出すことで、抽出し体２１内に溜まった表土種子を上方開口３０から取り出すことができる。なお、上面Ａに替えて第２，３の実施形態で示した上蓋１５を設けてもよく、また、仕切り板６を前記内面（裏面）部分ａではなく、上記第３の実施形態のように、箱状部材本体３ａの内側面ｊにおける上部に設けてもよい。
【００３７】
なお、図１〜図５の各実施形態では、いずれも仕切り板６のみを設けた例を示したが、仕切り板６と、表土種子を収容する土のう袋等の採取袋９（例えば図１、図２の仮想線参照）の両方を設けてもよい。この場合、採取袋９は、吸引口２に着脱自在に取り付けられていてもよい。すなわち、採取袋９は、図１に示すように、吸引口２に着脱自在に接続されていてもよい。また、採取袋９は、図２に示すように、吸引口２に着脱自在に接続されておらず、箱状部材本体３ａ内において一面に広げて配置するようにしてもよい。また、採取袋９は、通気性を有しており、また、一定以上の大きさの種子、落葉落枝（リター）及び表層土壌（腐葉土）を通さない目合を持つメッシュ製のものであってもよい。
【符号の説明】
【００３８】
１        吸引口
２        排気口
３        箱状部材
６        仕切り板
１６      吸引装置
１７      吸引管
１８      排気管
Ｄ        表土種子採取装置
【図１】
2018148807.tif 000003
【図２】
2018148807.tif 000004
【図３】
2018148807.tif 000005
【図４】
2018148807.tif 000006
【図５】
2018148807.tif 000007